(57)【要約】  本開示の態様は、ユーザ機器（ＵＥ）によるワイヤレス通信のための技法を提供した。ＵＥによって実行される例示的な方法は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを識別することと、ＣＥのレベルに基づいて、ＵＥのモビリティに関係する１つまたは複数のプロシージャを変更するために１つまたは複数のアクションをとることとを含む。
2018523423.tif 000002
【特許請求の範囲】
【請求項１】
ユーザ機器（ＵＥ）によるワイヤレス通信のための方法であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと
を備える、方法。
【請求項２】
ＣＥの各レベルが、それにより送信が繰り返されるバンドル送信の数に対応する、請求項１に記載の方法。
【請求項３】
アクションをとることが、ＣＥの所望のレベルの指示を与えることを備える、請求項１に記載の方法。
【請求項４】
ＣＥの前記所望のレベルが、ＣＥの現在のレベルに対して増加される、請求項３に記載の方法。
【請求項５】
ＣＥの前記所望のレベルが、現在のセル中でサポートされるＣＥのレベルに対して増加される、請求項３に記載の方法。
【請求項６】
１つまたは複数のアクションをとることが、ＣＥの前記レベルに基づいて無線リンク監視（ＲＬＭ）を変更することを備える、請求項１に記載の方法。
【請求項７】
アクションをとることが、ＣＥの前記レベルに基づいて無線リンク障害（ＲＬＦ）を宣言することを備える、請求項６に記載の方法。
【請求項８】
アクションをとることが、ＣＥの所望のレベルの指示として、ＣＥの前記所望のレベルにおいてランダムアクセスチャネル（ＲＡＣＨ）プロシージャを実行することを備える、請求項１に記載の方法。
【請求項９】
アクションをとることが、ＣＥのいくつかのレベルのためにアイドルモードモビリティのみをサポートすることを備える、請求項１に記載の方法。
【請求項１０】
アクションをとることが、ＣＥの前記レベルに基づいて無線リソース制御（ＲＲＣ）接続解放タイマーが調整されることを引き起こすためのアクションをとることを備える、請求項１に記載の方法。
【請求項１１】
基地局によるワイヤレス通信のための方法であって、
それの中でＵＥが前記基地局と通信する、より広いシステム帯域幅内の少なくとも１つの狭帯域領域上で通信するための、前記ＵＥのためのカバレージ向上（ＣＥ）のレベルを構成することと、および
ＣＥの前記レベルに基づいて、前記ＵＥのモビリティに関連する１つまたは複数のアクションに関係する前記ＵＥからの指示を受信することと
を備える、方法。
【請求項１２】
ＣＥの前記レベルを構成することが、ＣＥの前記レベルに基づいて１つまたは複数のＲＬＭパラメータを構成することを備える、請求項１１に記載の方法。
【請求項１３】
指示を受信することが、前記１つまたは複数のＲＬＭパラメータに少なくとも部分的に基づいてＲＬＦ指示を受信することを備える、請求項１２に記載の方法。
【請求項１４】
前記指示が、ＣＥの所望のレベルの指示として、ＣＥの前記所望のレベルにおいて前記ＵＥからのランダムアクセスチャネル（ＲＡＣＨ）送信を受信することをさらに備える、請求項１１に記載の方法。
【請求項１５】
ユーザ機器（ＵＥ）によるワイヤレス通信のための装置であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと、および
を行うように構成された少なくとも１つのプロセッサと、
前記少なくとも１つのプロセッサと結合されたメモリと
を備える、装置。
【請求項１６】
ＣＥの各レベルが、それにより送信が繰り返されるバンドル送信の数に対応する、請求項１５に記載の装置。
【請求項１７】
前記少なくとも１つのプロセッサが、ＣＥの所望のレベルの指示を与えることによって１つまたは複数のアクションを前記とるように構成された、請求項１５に記載の装置。
【請求項１８】
ＣＥの前記所望のレベルが、ＣＥの現在のレベルに対して増加される、請求項１７に記載の装置。
【請求項１９】
ＣＥの前記所望のレベルが、現在のセル中でサポートされるＣＥのレベルに対して増加される、請求項１７に記載の装置。
【請求項２０】
前記少なくとも１つのプロセッサが、ＣＥの前記レベルに基づいて無線リンク監視（ＲＬＭ）を変更することによって１つまたは複数のアクションをとるように構成された、請求項１５に記載の装置。
【請求項２１】
前記少なくとも１つのプロセッサが、ＣＥの前記レベルに基づいて無線リンク障害（ＲＬＦ）を宣言することによって１つまたは複数のアクションをとるように構成された、請求項２０に記載の装置。
【請求項２２】
前記少なくとも１つのプロセッサが、ＣＥの所望のレベルの指示として、ＣＥの前記所望のレベルにおいてランダムアクセスチャネル（ＲＡＣＨ）プロシージャを実行することによって１つまたは複数のアクションをとるように構成された、請求項１５に記載の装置。
【請求項２３】
前記少なくとも１つのプロセッサが、ＣＥのいくつかのレベルのためにアイドルモードモビリティのみをサポートすることによって１つまたは複数のアクションをとるように構成された、請求項１５に記載の装置。
【請求項２４】
前記少なくとも１つのプロセッサが、ＣＥの前記レベルに基づいて無線リソース制御（ＲＲＣ）接続解放タイマーが調整されることを引き起こすためのアクションをとることによって１つまたは複数のアクションをとるように構成された、請求項１５に記載の装置。
【請求項２５】
基地局によるワイヤレス通信のための装置であって、
それの中でＵＥが基地局（ＢＳ）と通信する、より広いシステム帯域幅内の少なくとも１つの狭帯域領域上で通信するための、前記ＵＥのためのカバレージ向上（ＣＥ）のレベルを構成することと、および
ＣＥの前記レベルに基づいて、前記ＵＥのモビリティに関連する１つまたは複数のアクションに関係する前記ＵＥからの指示を受信することと
を行うように構成された少なくとも１つのプロセッサ
を備える、装置。
【請求項２６】
前記少なくとも１つのプロセッサが、ＣＥの前記レベルに基づいて１つまたは複数のＲＬＭパラメータを構成するようにさらに構成された、請求項２５に記載の装置。
【請求項２７】
前記少なくとも１つのプロセッサが、前記１つまたは複数のＲＬＭパラメータに少なくとも部分的に基づいてＲＬＦ指示を受信するようにさらに構成された、請求項２６に記載の装置。
【請求項２８】
前記少なくとも１つのプロセッサが、ＣＥの所望のレベルの指示として、ＣＥの前記所望のレベルにおいて前記ＵＥからのランダムアクセスチャネル（ＲＡＣＨ）送信を受信するようにさらに構成された、請求項２５に記載の装置。
【請求項２９】
ユーザ機器（ＵＥ）によるワイヤレス通信のための装置であって、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別するための手段と、および
ＣＥの前記レベルに基づいて、前記ＵＥのモビリティに関係する１つまたは複数のプロシージャを変更するために１つまたは複数のアクションをとるための手段と
を備える、装置。
【請求項３０】
ＣＥの各レベルが、それにより送信が繰り返されるバンドル送信の数に対応する、請求項２９に記載の装置。
【請求項３１】
前記１つまたは複数のアクションをとるための前記手段が、ＣＥの所望のレベルの指示を与えることによって１つまたは複数のアクションを前記とるように構成された、請求項２９に記載の装置。
【請求項３２】
前記１つまたは複数のアクションをとるための前記手段が、ＣＥの前記レベルに基づいて無線リンク監視（ＲＬＭ）を変更することによって１つまたは複数のアクションをとるように構成された、請求項２９に記載の装置。
【請求項３３】
前記１つまたは複数のアクションをとるための前記手段が、ＣＥの前記レベルに基づいて無線リンク障害（ＲＬＦ）を宣言することによって１つまたは複数のアクションをとるように構成された、請求項３２に記載の装置。
【請求項３４】
前記１つまたは複数のアクションをとるための前記手段が、ＣＥの所望のレベルの指示として、ＣＥの前記所望のレベルにおいてランダムアクセスチャネル（ＲＡＣＨ）プロシージャを実行することによって１つまたは複数のアクションをとるように構成された、請求項２９に記載の装置。
【請求項３５】
前記１つまたは複数のアクションをとるための前記手段が、ＣＥのいくつかのレベルのためにアイドルモードモビリティのみをサポートすることによって１つまたは複数のアクションをとるように構成された、請求項２９に記載の装置。
【請求項３６】
前記１つまたは複数のアクションをとるための前記手段が、ＣＥの前記レベルに基づいて無線リソース制御（ＲＲＣ）接続解放タイマーが調整されることを引き起こすためのアクションをとることによって１つまたは複数のアクションをとるように構成された、請求項２９に記載の装置。
【請求項３７】
基地局によるワイヤレス通信のための装置であって、
それの中でＵＥが前記基地局と通信する、より広いシステム帯域幅内の少なくとも１つの狭帯域領域上で通信するための、前記ＵＥのためのカバレージ向上（ＣＥ）のレベルを構成するための手段と、および
ＣＥの前記レベルに基づいて、前記ＵＥのモビリティに関係する１つまたは複数のアクションに関係する前記ＵＥからの指示を受信するための手段と
を備える、装置。
【請求項３８】
ＣＥの前記レベルに基づいて１つまたは複数のＲＬＭパラメータを構成するための手段をさらに備える、請求項３７に記載の装置。
【請求項３９】
受信するための前記手段が、前記１つまたは複数のＲＬＭパラメータに少なくとも部分的に基づいてＲＬＦ指示を受信するようにさらに構成された、請求項３８に記載の装置。
【請求項４０】
受信するための前記手段が、ＣＥの所望のレベルの指示として、ＣＥの前記所望のレベルにおいて前記ＵＥからのランダムアクセスチャネル（ＲＡＣＨ）送信を受信するようにさらに構成された、請求項３７に記載の装置。
【請求項４１】
ユーザ機器（ＵＥ）によるワイヤレス通信のための非一時的コンピュータ可読媒体であって、ここにおいて、前記非一時的コンピュータ可読媒体は、
それの中で前記ＵＥが基地局（ＢＳ）と通信する、より広いシステム帯域幅内の少なくとも１つの狭帯域領域上で通信するための、前記ＵＥのためのカバレージ向上（ＣＥ）のレベルを識別することと、および
ＣＥの前記レベルに基づいて、前記ＵＥのモビリティに関係する１つまたは複数のプロシージャを変更するために１つまたは複数のアクションをとることと
を行うための命令を備える、非一時的コンピュータ可読媒体。
【請求項４２】
基地局によるワイヤレス通信のための非一時的コンピュータ可読媒体であって、ここにおいて、前記非一時的コンピュータ可読媒体は、
それの中でＵＥが前記基地局と通信する、より広いシステム帯域幅内の少なくとも１つの狭帯域領域上で通信するための、前記ＵＥのためのカバレージ向上（ＣＥ）のレベルを構成することと、
ＣＥの前記レベルに基づいて、前記ＵＥのモビリティに関係する１つまたは複数のアクションに関係する前記ＵＥからの指示を受信することと
を行うための命令を備える、非一時的コンピュータ可読媒体。
【発明の詳細な説明】
【技術分野】
【０００１】
米国特許法第１１９条に基づく優先権の主張
[0001]本出願は、２０１５年８月１４日に出願された「MOBILITY DESIGN FOR eMTC」と題する米国仮特許出願第６２／２０５，４８２号の利益を主張する、２０１６年７月１４日に出願された米国出願第１５／２１０，６５２号の優先権を主張し、それらの全体が両方とも参照により本明細書に組み込まれる。
【０００２】
[0002]本開示のいくつかの態様は、一般にワイヤレス通信に関し、より詳細には、向上されたマシンタイプ通信（ｅＭＴＣ：enhanced machine type communication）のためのモビリティ設計に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥｓ）を含み得る。ＵＥｓのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがあり得る。いくつかのＵＥｓは、基地局、別のリモートデバイス、または何らかの他のエンティティと通信し得る、センサー、メーター、ロケーションタグなどのリモートデバイスを含み得る、マシンタイプ通信（ＭＴＣ）ＵＥｓと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥｓは、たとえば、パブリックランドモバイルネットワーク（ＰＬＭＮ）を介した、ＭＴＣサーバおよび／または他のＭＴＣデバイスとのＭＴＣ通信が可能であるＵＥｓを含み得る。
【発明の概要】
【０００６】
[0006]本開示のいくつかの態様は、ユーザ機器（ＵＥ）によるワイヤレス通信のための方法を提供する。本方法は、概して、それの中でＵＥが基地局（ＢＳ）と通信する、より広いシステム帯域幅内の少なくとも１つの狭帯域領域上で通信するための、ＵＥのためのカバレージ向上（ＣＥ：coverage enhancement）のレベルを識別することと、ＣＥのレベルに基づいて、ＵＥのモビリティに関係する１つまたは複数のプロシージャを変更するために１つまたは複数のアクションをとることとを含む。
【０００７】
[0007]本開示のいくつかの態様は、ユーザ機器（ＵＥ）によるワイヤレス通信のための装置を提供する。本装置は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを識別することと、ＣＥのレベルに基づいて、ＵＥのモビリティに関係する１つまたは複数のプロシージャを変更するために１つまたは複数のアクションをとることとを行うように構成された少なくとも１つのプロセッサを含む。本装置はまた、少なくとも１つのプロセッサと結合されたメモリを含む。
【０００８】
[0008]本開示のいくつかの態様は、ユーザ機器（ＵＥ）によるワイヤレス通信のための装置を提供する。本装置は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを識別するための手段と、ＣＥのレベルに基づいて、ＵＥのモビリティに関係する１つまたは複数のプロシージャを変更するために１つまたは複数のアクションをとるための手段とを含む。
【０００９】
[0009]本開示のいくつかの態様は、ユーザ機器（ＵＥ）によるワイヤレス通信のための非一時的コンピュータ可読媒体を提供する。本非一時的コンピュータ可読媒体は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを識別することと、ＣＥのレベルに基づいて、ＵＥのモビリティに関係する１つまたは複数のプロシージャを変更するために１つまたは複数のアクションをとることとを行うための命令を含む。
【００１０】
[0010]本開示のいくつかの態様は、基地局によるワイヤレス通信のための方法を提供する。本方法は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを構成することと、ＣＥのレベルに基づいて、ＵＥのモビリティに関連する１つまたは複数のアクションに関係するＵＥからの指示を受信することとを含む。
【００１１】
[0011]本開示のいくつかの態様は、基地局によるワイヤレス通信のための装置を提供する。本装置は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを構成することと、ＣＥのレベルに基づいて、ＵＥのモビリティに関連する１つまたは複数のアクションに関係するＵＥからの指示を受信することとを行うように構成された少なくとも１つのプロセッサを含む。
【００１２】
[0012]本開示のいくつかの態様は、基地局によるワイヤレス通信のための装置を提供する。本装置は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを構成するための手段と、ＣＥのレベルに基づいて、ＵＥのモビリティに関連する１つまたは複数のアクションに関係するＵＥからの指示を受信するための手段とを含む。
【００１３】
[0013]本開示のいくつかの態様は、基地局によるワイヤレス通信のための非一時的コンピュータ可読媒体を提供する。本非一時的コンピュータ可読媒体は、概して、それの中でＵＥが基地局（ＢＳ）と通信する、より広いシステム帯域幅内の少なくとも１つの狭帯域領域上で通信するための、ＵＥのためのカバレージ向上（ＣＥ）のレベルを構成することと、ＣＥのレベルに基づいて、ＵＥのモビリティに関連する１つまたは複数のアクションに関係するＵＥからの指示を受信することとを行うための命令を含む。
【００１４】
[0014]方法、装置、システム、コンピュータプログラム製品、および処理システムを含む多数の他の態様が提供される。
【図面の簡単な説明】
【００１５】
【図１】[0015]本開示のいくつかの態様による、ワイヤレス通信ネットワークの一例を概念的に示すブロック図。
【図２】[0016]本開示のいくつかの態様による、ワイヤレス通信ネットワークにおいてユーザ機器（ＵＥ）と通信している基地局の一例を概念的に示すブロック図。
【図３】[0017]ＬＴＥにおけるＦＤＤのための例示的なフレーム構造を示す図。
【図４】[0018]ノーマルサイクリックプレフィックス（normal cyclic prefix）をもつ２つの例示的なサブフレームフォーマットを示す図。
【図５Ａ】[0019]本開示のいくつかの態様による、マシンタイプ通信（ＭＴＣ）のために使用され得る例示的なフレーム構造を示す図。
【図５Ｂ】本開示のいくつかの態様による、マシンタイプ通信（ＭＴＣ）のために使用され得る例示的なフレーム構造を示す図。
【図６】[0020]本開示のいくつかの態様による、ユーザ機器によって実行され得る例示的な動作を示す図。
【図７】[0021]本開示のいくつかの態様による、ｅノードＢによって実行され得る例示的な動作を示す図。
【詳細な説明】
【００１６】
[0022]本開示の態様は、基地局とマシンタイプ通信（ＭＴＣ）ベースのユーザ機器（ＵＥｓ）との間の効率的な通信を可能にするのを助け得る技法を提供する。たとえば、本技法は、向上された（enhanced）マシンタイプ通信（ｅＭＴＣ）ＵＥのモビリティを管理するための方法を提供し得る。
【００１７】
[0023]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型(evolved)ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００１８】
[0024]図１は、本開示の態様が実施され得る例示的なワイヤレス通信ネットワーク１００を示す。たとえば、本明細書で提示される技法は、図１に示されているＵＥｓおよびＢＳが、向上されたマシンタイプ通信（ｅＭＴＣ）ＵＥのモビリティを管理するのを助けるために使用され得る。
【００１９】
[0025]ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥｓ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００２０】
[0026]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥｓによる無制限アクセスを可能にし得る。ピコセルは、比較的小さい地理的エリアをカバーし得、サービスに加入しているＵＥｓによる無制限アクセスを可能にし得る。フェムトセルは、比較的小さい地理的エリア（たとえば、自宅）をカバーし得、フェムトセルとの関連を有するＵＥｓ（たとえば、限定加入者グループ（ＣＳＧ）中のＵＥｓ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００２１】
[0027]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥｓに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００２２】
[0028]ワイヤレスネットワーク１００は、様々なタイプのｅＮＢ、たとえば、マクロｅＮＢ、ピコｅＮＢ、フェムトｅＮＢ、リレーｅＮＢなどを含む異種（heterogeneous）ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るのに対して、ピコｅＮＢ、フェムトｅＮＢ、およびリレーｅＮＢは、より低い送信電力レベル（たとえば、０．１〜２ワット）を有し得る。
【００２３】
[0029]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２４】
[0030]ＵＥｓ１２０（たとえば、１２０ａ、１２０ｂ、１２０ｃ）は、ワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００２５】
[0031]ワイヤレス通信ネットワーク１００（たとえば、ＬＴＥネットワーク）中の１つまたは複数のＵＥｓ１２０はまた、たとえば、ＭＴＣ  ＵＥｓ、向上されたＭＴＣ（ｅＭＴＣ）ＵＥｓなど、低コスト（ＬＣ）、低データレートデバイスであり得る。ＭＴＣ  ＵＥｓは、ＬＴＥネットワーク中のレガシーおよび／または高度(advanced)ＵＥｓと共存し得、ワイヤレスネットワーク中の他のＵＥｓ（たとえば、非ＭＴＣ  ＵＥｓ）と比較して制限された１つまたは複数の能力を有し得る。たとえば、ＬＴＥ  Ｒｅｌ−１２では、ＬＴＥネットワーク中のレガシーおよび／または高度ＵＥｓと比較して、ＭＴＣ  ＵＥｓは、（レガシーＵＥｓに対する）最大帯域幅の低減、単一の受信無線周波数（ＲＦ）チェーン、ピークレートの低減（たとえば、トランスポートブロックサイズ（ＴＢＳ）のために最大１０００ビットがサポートされ得る）、送信電力の低減、ランク１送信、半二重動作などのうちの１つまたは複数を用いて動作し得る。いくつかの場合には、半二重動作がサポートされる場合、ＭＴＣ  ＵＥｓは、送信動作から受信動作への（または受信動作から送信動作への）緩和された切替えタイミングを有し得る。たとえば、ある場合には、レガシーおよび／または高度ＵＥｓのための２０マイクロ秒（μｓ）の切替えタイミングと比較して、ＭＴＣ  ＵＥｓは、１ミリ秒（ｍｓ）の緩和された切替えタイミングを有し得る。
【００２６】
[0032]いくつかの場合には、（たとえば、ＬＴＥ  Ｒｅｌ−１２における）ＭＴＣ  ＵＥはまた、ＬＴＥネットワーク中のレガシーおよび／または高度ＵＥがダウンリンク（ＤＬ）制御チャネルを監視するのと同様に離れて、ＤＬ制御チャネルを監視することが可能であり得る。リリース１２  ＭＴＣ  ＵＥｓは、依然として、通常ＵＥｓと同様の方法でダウンリンク（ＤＬ）制御チャネルを監視し得、たとえば、最初の数個のシンボル中の広帯域制御チャネル（たとえば、物理ダウンリンク制御チャネル（ＰＤＣＣＨ：physical downlink control channel））、ならびに比較的狭帯域を占有するが、サブフレームの長さにわたる狭帯域制御チャネル（たとえば、向上されたＰＤＣＣＨ（ｅＰＤＣＣＨ））について監視する。
【００２７】
[0033]ワイヤレス通信ネットワーク１００は、ＭＴＣ動作をサポートすることの代替としてまたはそれに追加して、追加のＭＴＣ向上（enhancements）（たとえば、ｅＭＴＣ動作）をサポートし得る。たとえば、ＬＣ  ｅＭＴＣ  ＵＥｓ（たとえば、ＬＴＥ  Ｒｅｌ−１３）は、より広いシステム帯域幅内で（たとえば、１．４／３／５／１０／１５／２０ＭＨｚにおいて）共存しながら、狭帯域動作をサポートすることが可能であり得る（たとえば、利用可能なシステム帯域幅から区分される１．４ＭＨｚまたは６つのリソースブロック（ＲＢ）の特定の狭帯域割当てに制限され得る）。ＬＣ  ｅＭＴＣ  ＵＥはまた、１つまたは複数のカバレージ動作モードをサポートすることが可能であり得る。たとえば、ＬＣ  ｅＭＴＣ  ＵＥは、１５ｄＢまでのカバレージ向上をサポートすることが可能であり得る。
【００２８】
[0034]本明細書で使用される、ＭＴＣデバイス、ｅＭＴＣデバイスなど、限られた通信リソースをもつデバイスは、一般にＭＴＣ  ＵＥｓと呼ばれる。同様に、（たとえば、ＬＴＥにおける）レガシーおよび／または高度ＵＥｓなどのレガシーデバイスは、一般に非ＭＴＣ  ＵＥｓと呼ばれる。
【００２９】
[0035]いくつかの場合には、ＵＥ（たとえば、ＭＴＣ  ＵＥまたは非ＭＴＣ  ＵＥ）は、ネットワークにおいて通信する前にセル探索および収集プロシージャを実行し得る。ある場合には、一例として図１に示されているＬＴＥネットワークに関して、ＵＥがＬＴＥセルに接続されておらず、ＬＴＥネットワークにアクセスすることを希望するとき、セル探索および収集プロシージャが実行され得る。これらの場合、ＵＥは、ちょうど電源投入した、ＬＴＥセルへの接続を一時的に失った後に接続を復元した、などであり得る。
【００３０】
[0036]他の場合には、ＵＥがＬＴＥセルにすでに接続されているとき、セル探索および収集プロシージャが実行され得る。たとえば、ＵＥは、新しいＬＴＥセルを検出していることがあり、新しいセルへのハンドオーバを準備し得る。別の例として、ＵＥは、１つまたは複数の低電力状態において動作していることがあり（たとえば、間欠受信（ＤＲＸ）をサポートし得）、１つまたは複数の低電力状態を出ると、（ＵＥがまだ接続モードにあるにもかかわらず）セル探索および収集プロシージャを実行しなければならないことがある。
【００３１】
[0037]図２は、図１の基地局／ｅＮＢの１つであり得る基地局／ｅＮＢ１１０および図１のＵＥｓの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００３２】
[0038]基地局１１０において、送信プロセッサ２２０が、１つまたは複数のＵＥｓについてデータソース２１２からデータを受信し、ＵＥから受信されたＣＱＩｓに基づいて各ＵＥのための１つまたは複数の変調およびコーディング方式（ＭＣＳ）を選択し、そのＵＥのために選択された（１つまたは複数の）ＭＣＳ（ｓ）に基づいて各ＵＥのためのデータを処理（たとえば、符号化および変調）し、すべてのＵＥｓについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤｓ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００３３】
[0039]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００３４】
[0040]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥｓからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３５】
[0041]コントローラ／プロセッサ２４０および２８０は、それぞれ基地局１１０およびＵＥ１２０における動作を指示し得る。たとえば、ＵＥ１２０におけるプロセッサ２８０および／または他のプロセッサおよびモジュールは、図６に示されている動作６００を実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥｓをスケジュールし得る。
【００３６】
[0042]図３は、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００３７】
[0043]ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥｓによって使用され得、情報の中でも、複信モードの指示とともにセルＩＤを含んでいることがある。複信モードの指示は、セルが時分割複信（ＴＤＤ）フレーム構造を利用するのか周波数分割複信（ＦＤＤ）フレーム構造を利用するのかを示し得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥｓによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００３８】
[0044]チャネル品質測定が、定義されたスケジュールに従ってＵＥによって実行され得、そのようなスケジュールはＵＥのＤＲＸサイクルに基づく。たとえば、ＵＥは、あらゆるＤＲＸサイクルにおいてサービングセルのために測定を実行することを試み得る。ＵＥはまた、非サービングネイバリングセル（non-serving neighboring cells）のために測定を実行することを試み得る。非サービングネイバーセルのための測定は、サービングセルの場合とは異なるスケジュールに基づいて行われ得、ＵＥは、ＵＥが接続モードにあるとき、非サービングセルを測定するために、サービングセルから離調（tune away）する必要があり得る。
【００３９】
[0045]チャネル品質測定を可能にするために、ｅＮＢは、特定のサブフレーム上でセル固有基準信号（ＣＲＳ）を送信し得る。たとえば、ｅＮＢは、所与のフレームについてサブフレーム０および５にわたってＣＲＳを送信し得る。ＭＴＣ  ＵＥは、この信号を受信し、受信された信号の平均電力、またはＲＳＲＰを測定し得る。ＭＴＣ  ＵＥはまた、すべてのソースからの総受信信号電力に基づいて、受信信号強度インジケータ（ＲＳＳＩ）を計算し得る。ＲＳＲＰおよびＲＳＳＩに基づいてＲＳＲＱも計算され得る。
【００４０】
[0046]測定を可能にするために、ｅＮＢは、それのカバレージエリア中のＵＥｓに測定構成を与え得る。測定構成は、測定報告のためのイベントトリガを定義し得、各イベントトリガは、関連するパラメータを有し得る。ＵＥが、構成された測定イベントを検出したとき、ＵＥは、関連する測定対象に関する情報とともにｅＮＢに測定報告を送ることによって応答し得る。構成された測定イベントは、たとえば、測定された基準信号受信電力（ＲＳＲＰ）または測定された基準信号受信品質（ＲＳＲＱ）がしきい値を満たすことであり得る。トリガ時間（ＴＴＴ）パラメータは、ＵＥがそれの測定報告を送る前に、測定イベントがどのくらいの時間の間残存しなければならないかを定義するために使用され得る。このようにして、ＵＥは、それの無線状態の変化をネットワークにシグナリングすることができる。
【００４１】
[0047]図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中の１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００４２】
[0048]サブフレームフォーマット４１０は、２つのアンテナのために使用され得る。ＣＲＳは、シンボル期間０、４、７および１１中でアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００４３】
[0049]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００４４】
[0050]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００４５】
[0051]ワイヤレスネットワークは、ダウンリンクおよびアップリンク上でのデータ送信のためにハイブリッド自動再送要求（ＨＡＲＱ）をサポートし得る。ＨＡＲＱでは、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００４６】
[0052]ＵＥは、複数のｅＮＢｓのカバレージ内に位置し得る。これらのｅＮＢｓのうちの１つが、そのＵＥをサービスするために選択され得る。サービングｅＮＢは、受信信号強度、受信信号品質、経路損失(pathloss)などの様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオ(dominant interference scenario)において動作し得る。
【００４７】
[0053]旧来のＬＴＥ設計（たとえば、レガシー「非ＭＴＣ」デバイスのための）の焦点は、スペクトル効率の改善、ユビキタスカバレージ、および向上されたサービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００４８】
[0054]したがって、上記で説明されたように、ワイヤレス通信ネットワーク（たとえば、ワイヤレス通信ネットワーク１００）中の１つまたは複数のＵＥは、ワイヤレス通信ネットワーク中の他の（非ＭＴＣ）デバイスと比較して、ＭＴＣ  ＵＥなど、限られた通信リソースを有するデバイスであり得る。ＭＴＣ  ＵＥでは、限られた量の情報のみが交換される必要があり得るので、様々な要件が緩和され得る。たとえば、（レガシーＵＥに対して）最大帯域幅が低減され得、単一の受信無線周波数（ＲＦ）チェーン(chain)が使用され得、ピークレートが低減され得（たとえば、トランスポートブロックサイズのために最高１００ビット）、送信電力が低減され得、ランク１送信が使用され得、半二重動作が実行され得る。
【００４９】
[0055]いくつかの場合には、半二重動作が実行される場合、ＭＴＣ  ＵＥｓは、送信から受信に（または受信から送信に）遷移するための緩和された切替え時間を有し得る。たとえば、切替え時間は、通常ＵＥｓのための２０μｓからＭＴＣ  ＵＥｓのための１ｍｓに緩和され得る。リリース１２  ＭＴＣ  ＵＥｓは、依然として、通常ＵＥｓと同様の方法でダウンリンク（ＤＬ）制御チャネルを監視し得、たとえば、最初の数個のシンボル中の広帯域制御チャネル（たとえば、ＰＤＣＣＨ）、ならびに比較的狭帯域を占有するが、サブフレームの長さにわたる狭帯域制御チャネル（たとえば、ｅＰＤＣＣＨ）を監視する。
【００５０】
[0056]いくつかのシステムでは、たとえば、ＬＴＥ  Ｒｅｌ−１３では、ＭＴＣは、利用可能なシステム帯域幅内の特定の狭帯域割当て（たとえば、６つ以下のリソースブロック（ＲＢｓ）の）に限定され得る。しかしながら、ＭＴＣは、たとえば、ＬＴＥシステム内で共存するために、ＬＴＥシステムの利用可能なシステム帯域幅内の異なる狭帯域領域に再同調(re-tune)する（たとえば、動作するおよび／またはキャンプする）ことが可能であり得る。
【００５１】
[0057]ＬＴＥシステム内での共存の別の例として、ＭＴＣｓは、レガシー物理ブロードキャストチャネル（ＰＢＣＨ）（たとえば、概して、セルへの初期アクセスのために使用され得るパラメータを搬送するＬＴＥ物理チャネル）を（繰返しで）受信し、１つまたは複数のレガシー物理ランダムアクセスチャネル（ＰＲＡＣＨ：physical random access channel）フォーマットをサポートすることが可能であり得る。たとえば、ＭＴＣは、複数のサブフレームにわたるＰＢＣＨの１回または複数回の追加の繰返しでレガシーＰＢＣＨを受信することが可能であり得る。別の例として、ＭＴＣは、ＬＴＥシステムにおけるｅＮＢにＰＲＡＣＨの１回または複数回の繰返しを送信する（たとえば、１つまたは複数のＰＲＡＣＨフォーマットがサポートされる）ことが可能であり得る。ＰＲＡＣＨは、ＭＴＣを識別するために使用され得る。また、繰り返されるＰＲＡＣＨ試みの数は、ｅＮＢによって構成され得る。
【００５２】
[0058]ＭＴＣはまた、リンクバジェット制限付きデバイスであり得、それのリンクバジェット制限に基づいて、（たとえば、ＭＴＣに送信される異なる量の繰返しメッセージを伴う）異なる動作モードで動作し得る。たとえば、いくつかの場合には、ＭＴＣは、繰返しがほとんどない（すなわち、ＵＥがメッセージを正常に受信するために必要とされる繰返しの量が少ないことがあるか、または繰返しが必要とされないことさえある）通常カバレージモードで動作し得る。代替的に、いくつかの場合には、ＭＴＣは、大きい量の繰返しがあり得るカバレージ向上（ＣＥ）モードで動作し得る。たとえば、３２８ビットペイロードの場合、ＣＥモードにあるＭＴＣ  ＵＥは、ペイロードを正常に受信するために、ペイロードの１５０回以上の繰返しを必要とし得る。
【００５３】
[0059]いくつかの場合には、たとえば、同じくＬＴＥ  Ｒｅｌ−１３の場合、ＭＴＣ  ＵＥは、ブロードキャスト送信およびユニキャスト送信のそれの受信に関する制限された能力を有することがある。たとえば、ＭＴＣ  ＵＥによって受信されるブロードキャスト送信のための最大トランスポートブロック（ＴＢ）サイズは、１０００ビットに制限され得る。さらに、いくつかの場合には、ＭＴＣ  ＵＥは、サブフレーム中で２つ以上のユニキャストＴＢを受信することが可能でないことがある。いくつかの場合には（たとえば、上記で説明された通常モードとＣＥモードの両方の場合）、ＭＴＣ  ＵＥは、サブフレーム中で２つ以上のブロードキャストＴＢを受信することが可能でないことがある。さらに、いくつかの場合には、ＭＴＣ  ＵＥは、サブフレーム中でユニキャストＴＢとブロードキャストＴＢの両方を受信することが可能でないことがある。
【００５４】
[0060]ＬＴＥシステムにおいて共存するＭＴＣはまた、ページング、ランダムアクセスプロシージャなどのいくつかのプロシージャのための新しいメッセージを（たとえば、これらのプロシージャのためにＬＴＥにおいて使用される従来のメッセージとは対照的に）サポートし得る。言い換えれば、ページング、ランダムアクセスプロシージャなどのためのこれらの新しいメッセージは、非ＭＴＣに関連する同様のプロシージャのために使用されるメッセージとは別個であり得る。たとえば、ＬＴＥにおいて使用される従来のページングメッセージと比較して、ＭＴＣｓは、非ＭＴＣｓが監視および／または受信することが可能でないことがあるページングメッセージを監視および／または受信することが可能であり得る。同様に、従来のランダムアクセスプロシージャにおいて使用される従来のランダムアクセス応答（ＲＡＲ）メッセージと比較して、ＭＴＣは、同じく、非ＭＴＣによって受信されることが可能でないことがあるＲＡＲメッセージを受信することが可能であり得る。ＭＴＣに関連する新しいページングおよびＲＡＲメッセージはまた、１回または複数回繰り返され（たとえば、「バンドル」され）得る。さらに、新しいメッセージについて異なる繰返し数（たとえば、異なるバンドリングサイズ）がサポートされ得る。
【００５５】
広帯域システム内での例示的なＭＴＣ共存
[0061]上述のように、ＭＴＣおよび／またはｅＭＴＣ動作は、ワイヤレス通信ネットワークにおいて（たとえば、ＬＴＥまたは何らかの他のＲＡＴとの共存において）サポートされ得る。図５Ａおよび図５Ｂは、たとえば、ＭＴＣ動作中のＬＣ  ＵＥが、ＬＴＥなどの広帯域システム（たとえば、１．４／３／５／１０／１５／２０ＭＨｚ）内でどのように共存し得るかの一例を示す。
【００５６】
[0062]図５Ａの例示的なフレーム構造に示されているように、ＭＴＣおよび／またはｅＭＴＣ動作に関連するサブフレーム５１０は、ＬＴＥ（または何らかの他のＲＡＴ）に関連する通常サブフレーム５２０と時分割多重化（ＴＤＭ）され得る。
【００５７】
[0063]追加または代替として、図５Ｂの例示的なフレーム構造に示されているように、ＭＴＣにおいてＬＣ  ＵＥｓによって使用される１つまたは複数の狭帯域領域５６０、５６２は、ＬＴＥによってサポートされるより広い帯域幅５５０内で周波数分割多重化され得る。各狭帯域領域が合計６つ以下のＲＢである帯域幅にわたる複数の狭帯域領域は、ＭＴＣおよび／またはｅＭＴＣ動作についてサポートされ得る。いくつかの場合には、ＭＴＣ動作における各ＬＣ  ＵＥは、一度に（たとえば、１．４ＭＨｚまたは６つのＲＢにおいて）１つの狭帯域領域内で動作し得る。しかしながら、ＭＴＣ動作におけるＬＣ  ＵＥｓは、所与の時間に、より広いシステム帯域幅における他の狭帯域領域に再同調し得る。いくつかの例では、複数のＬＣ  ＵＥｓが同じ狭帯域領域によってサービスされ得る。他の例では、複数のＬＣ  ＵＥｓが、（たとえば、各狭帯域領域が６つのＲＢにわたる）異なる狭帯域領域によってサービスされ得る。また他の例では、ＬＣ  ＵＥｓの異なる組合せが、１つまたは複数の同じ狭帯域領域および／あるいは１つまたは複数の異なる狭帯域領域によってサービスされ得る。
【００５８】
[0064]ＬＣ  ＵＥｓは、様々な異なる動作のために狭帯域領域内で動作（たとえば、監視／受信／送信）し得る。たとえば、図５Ｂに示されているように、サブフレーム５５２の（たとえば、広帯域データの６つ以下のＲＢにわたる）第１の狭帯域領域５６０は、ＰＳＳ、ＳＳＳ、ＰＢＣＨ、ＭＴＣシグナリング、またはワイヤレス通信ネットワーク中のＢＳからのページング送信のいずれかについて、１つまたは複数のＬＣ  ＵＥｓによって監視され得る。同じく図５Ｂに示されているように、サブフレーム５５４の（たとえば、同じく広帯域データの６つ以下のＲＢにわたる）第２の狭帯域領域５６２は、ＢＳから受信されたシグナリングにおいて前に構成されたＲＡＣＨまたはデータを送信するために、ＬＣ  ＵＥｓによって使用され得る。いくつかの場合には、第２の狭帯域領域は、第１の狭帯域領域を利用した同じＬＣ  ＵＥｓによって利用され得る（たとえば、ＬＣ  ＵＥｓは、第１の狭帯域領域中で監視した後に送信するために第２の狭帯域領域に再同調していることがある）。（図示されていないが）いくつかの場合には、第２の狭帯域領域は、第１の狭帯域領域を利用したＬＣ  ＵＥｓとは異なるＬＣ  ＵＥｓによって利用され得る。
【００５９】
[0065]いくつかのシステムでは、ｅＭＴＣ  ＵＥｓは、より広いシステム帯域幅中で動作しながら狭帯域動作をサポートし得る。たとえば、ｅＭＴＣ  ＵＥは、システム帯域幅のうちの狭帯域領域中で送信および受信し得る。上述のように、狭帯域領域は６つのＲＢｓにわたり得る。
【００６０】
[0066]いくつかのシステムは、ＵＥとｅＮＢとの間の１５５．７ｄＢの最大結合損失(maximum coupling loss)にマッピングする最高１５ｄＢのカバレージ向上をもつＭＴＣ  ＵＥｓを与え得る。したがって、ｅＭＴＣ  ＵＥｓおよびｅＮＢは、低いＳＮＲｓ（たとえば、−１５ｄＢ〜−２０ｄＢ）において測定を実行し得る。いくつかのシステムでは、カバレージ向上はチャネルバンドリングを含み得、ここにおいて、ｅＭＴＣ  ＵＥｓに関連するメッセージが１回または複数回繰り返され（たとえば、バンドルされ）得る。
【００６１】
[0067]本明細書で説明される例は６つのＲＢの狭帯域を仮定するが、本明細書で提示される技法が異なるサイズの狭帯域領域にも適用され得ることを、当業者は認識されよう。
【００６２】
ｅＭＴＣのための例示的なモビリティ設計
[0068]いくつかの場合には、ｅＭＴＣ  ＵＥの２つの広いクラス、すなわち、タイプ１およびタイプ２が定義され得る。タイプ１  ｅＭＴＣ  ＵＥは、半二重を使用して狭帯域上で動作し、１つの受信（Ｒｘ）アンテナおよび通常カバレージを有する低コスト（ＬＣ）ＵＥを含み得る。タイプ２  ｅＭＴＣ  ＵＥは、１つのＲｘアンテナを用いて半二重を使用して狭帯域上で動作し、限られたリンクバジェットを有するカバレージ向上（ＣＥ）ＵＥを含み得る。さらに、タイプ２  ｅＭＴＣ  ＵＥは、たとえば、それにより送信が繰り返されるバンドル送信の数に対応し得る、レベル１（すなわち、低）からレベル４（すなわち、高）までの複数のＣＥレベルをサポートし得る。
【００６３】
[0069]限られたバッテリー容量により、ｅＭＴＣ  ＵＥのための１つの目標は、それらのバッテリー寿命ができる限り延長され得るように、それらの通信を設計することである。これは、特に接続モードにあるＵＥのための不要なシグナリングおよび測定プロシージャを最小限に抑えることを伴い得る。
【００６４】
[0070]ｅＭＴＣ  ＵＥは、広範囲のトラフィックタイプをサポートし得る。たとえば、ｅＭＴＣ  ＵＥは、頻繁なデータ送信を必要とするウェアラブルデバイスを含み得る。これらのタイプのデバイスは、低いＣＥを用いて動作するタイプ１デバイスとタイプ２デバイスとを含み得る。ｅＭＴＣ  ＵＥは、低頻度通信(infrequent communication)（たとえば、1日当たり１回）を必要とするメーターデバイスをも含み得る。これらのタイプのデバイスは、高いＣＥ（たとえば、レベル４  ＣＥ）を用いて動作するタイプ２デバイスを含み得る。
【００６５】
[0071]３ＧＰＰ  ＲＡＮ２では、通常カバレージＵＥと拡張カバレージ（ＥＣ：extended coverage）ＵＥとを含み得る、ｅＭＴＣのためのアイドルモードモビリティについてのサポートが同意された。さらに、ベースラインとしてのレガシーセル選択に続くセル選択がサポートされ得る。たとえば、セルがＣＥをサポートする場合、ＣＥをサポートするＵＥは、通常モードまたはＣＥモードでセルにアクセスし得る。セルがＬＣをサポートする場合、ＬＣ  ＵＥはセルにアクセスし得、他の場合、ＵＥは、セルが禁止されたと見なし得る。いくつかの場合には、ＵＥは、セルがレガシー／通常セル選択基準(legacy/normal cell selection criterion)「Ｓ」に従って好適である場合、通常モードを使用し得、そうではなく、セルがＣＥセル選択基準(CE cell selection criterion)「Ｓ」に従って好適である場合、ＣＥモードを使用し得る。さらに、セル再選択のために、ＲＡＮ２は、周波数内セル再選択(intra-frequency cell reselection)および同優先度セル再選択(same priority cell reselection)がＲｅｌ−１３  ＣＥ  ＵＥによってサポートされると仮定する。すなわち、無線測定に基づいてそれがそれの中でＣＥを使用しなければならないセルにわたってＵＥがＣＥにおいてそれの中で動作することが可能である周波数間セルに対してＵＥが再選択するものとする。
【００６６】
[0072]図６は、ユーザ機器（ＵＥ）、たとえば、ｅＭＴＣ  ＣＥ  ＵＥ（たとえば、ＵＥ１２０）のモビリティを管理するための例示的な動作６００を示す。いくつかの態様によれば、動作６００は、ＵＥによって実行され得る。
【００６７】
[0073]動作６００は、６０２において、それの中でＵＥが基地局（ＢＳ）と通信する、より広いシステム帯域幅内の少なくとも１つの狭帯域領域上で通信するための、ＵＥのためのカバレージ向上（ＣＥ）のレベルを識別することによって開始する。６０４において、ＵＥは、ＣＥのレベルに基づいて、ＵＥのモビリティに関係する１つまたは複数のプロシージャを変更するために１つまたは複数のアクションをとる。
【００６８】
[0074]図７は、ユーザ機器（ＵＥ）、たとえば、ｅＭＴＣ  ＣＥ  ＵＥ（たとえば、ＵＥ１２０）のモビリティを管理するための例示的な動作７００を示す。いくつかの態様によれば、動作７００は、ｅＮＢ（たとえば、ｅＮＢ１１０）によって実行され得る。動作７００は、動作６００とコンプリメンタリーと考えられ得る。
【００６９】
[0075]動作７００は、７０２において、それの中でＵＥが基地局（ＢＳ）と通信する、より広いシステム帯域幅内の少なくとも１つの狭帯域領域上で通信するための、ＵＥのためのカバレージ向上（ＣＥ）のレベルを構成することによって開始する。７０２において、ｅＮＢは、ＣＥのレベルに基づいて、ＵＥのモビリティに関係する１つまたは複数のアクションに関係するＵＥからの指示を受信する。
【００７０】
[0076]いくつかの態様によれば、および上述のように、基地局は、それの中でＵＥが基地局と通信する、より広いシステム帯域幅内の少なくとも１つの狭帯域領域上で通信するための、カバレージ向上（ＣＥ）のあるレベルを用いてＵＥを構成し得る。以下でより詳細に説明されるように、ＵＥは、ＣＥのレベルに基づいて、ＵＥのモビリティに関係する１つまたは複数のプロシージャを変更するために１つまたは複数のアクションをとり得る。
【００７１】
[0077]概して、ｅＭＴＣ  ＵＥのための様々なモビリティシナリオが存在する。たとえば、タイプ１  ＵＥ（すなわち、頻繁なデータ送信をもつウェアラブルアプリケーションをカバーする低コストデバイス）は、接続モードでの完全なモビリティをサポートすべきである。タイプ２デバイスは、２つのサブクラス、すなわち、タイプ２ａとタイプ２ｂとに分割され得る。タイプ２ａ  ｅＭＴＣ  ＣＥ  ＵＥは、低い（たとえば、低レベル）カバレージ向上を必要とし得、一般に、タイプ１デバイス挙動に一致するために数デシベル（ｄＢ）のＣＥを必要とし得る。いくつかの場合には、タイプ２ａデバイスも、接続モードモビリティをサポートすべきである。タイプ２ｂ  ＭＴＣ  ＣＥ  ＵＥは、高いカバレージ向上を必要とし得る。これらのタイプのデバイスは、一般に、低いモビリティを有するかまたは固定であり（たとえば、地階中のメーターなど）、データ送信が低頻度である（すなわち、これらのデバイスは低電力のために最適化される）。さらに、タイプ２ｂデバイスは、アイドルモードモビリティのみをサポートし得る。
【００７２】
[0078]いくつかの態様によれば、接続モードモビリティのために、タイプ１デバイスは、たとえば、周波数内と周波数間の両方のために既存のモビリティプロシージャをサポートすべきである。タイプ１  ｅＭＴＣ  ＣＥ  ＵＥのための接続モードモビリティのための主要な課題は、無線リソース管理（ＲＲＭ）にある。接続モードモビリティのためのＲＲＭのための課題は、狭帯域仮定(narrow band assumption)、すなわち、タイプ１デバイスが、ネイバーセルを検出し、周波数内／周波数間測定を実行するために、中心６ＲＢに常に同調されるとは限らないことに起因し得る。さらに、タイプ１デバイスの測定精度が影響を及ぼされる可能性があり得る。しかしながら、いくつかの態様によれば、これらの課題は、たとえば、周波数内測定と周波数間測定の両方のために使用され得る測定ギャップを用いてタイプ１デバイスを構成することによって緩和され得る。いくつかの態様によれば、測定期間および性能要件が、タイプ１デバイスのために緩和され得る。
【００７３】
[0079]いくつかの態様によれば、接続モードモビリティのために、タイプ２デバイスは、モビリティプロシージャの完全なサポートを必要とすることも必要としないこともある。たとえば、大きいカバレージを必要とする低頻度データをもつデバイスは、アイドルモード選択および／または再選択に依拠することが可能であり得る。いくつかの場合には、これらのデバイスのための電力消費が、たとえば、シグナリング、測定および報告オーバーヘッドを最小限に抑えることによって考慮される必要があり得る。
【００７４】
[0080]いくつかの態様によれば、頻繁な(frequent)／遅延敏感な(delay sensitive)データ交換をもつタイプ２ａデバイスは、一般に、高いＣＥを必要としないことがあり得る。いくつかの場合には、これらのタイプのデバイスは、ＵＥバッテリー電力消費およびシグナリングに対する影響を最小限に抑えるように、限られたＵＥ測定報告をもつ接続モードモビリティをサポートし得る。いくつかの態様によれば、低頻度データ交換および大きいカバレージ必要をもつタイプ２ｂデバイスは、アイドルモードモビリティのみをサポートし得る。いくつかの態様によれば、低頻度データおよび小カバレージ必要をもつデバイスは、タイプ２ｂデバイスとして扱われ（すなわち、電力のために最適化され）得る。
【００７５】
[0081]いくつかの態様によれば、タイプ２ａデバイスは、拡張された時間期間の間、接続状態のままであり得る。タイプ２ａデバイスは、測定用に構成され得るが、これらの測定は、電力消費の影響を最小限に抑えるために、低頻度で実行され得る。いくつかの場合には、タイプ２ａデバイスは、間欠受信(discontinuous reception)（ＤＲＸ）モードの何らかの形態であり得、カバレージ拡張を使用していることがあり、それらの両方は性能を劣化させ得る。
【００７６】
[0082]いくつかの態様によれば、タイプ２デバイスのためのＵＥベースモビリティがサポートされ得る。たとえば、ＵＥが、準備されていないセルに対して再確立を実行する場合、ターゲットセルは、カバレージレベル情報を含むソースセルからそれのコンテキストを回復し得る。さらに、ＵＥは、セルによって（たとえば、セル中の基地局によって）与えられた／構成された現在のカバレージレベルに基づいて無線リンク監視（ＲＬＭ）を実行し得る。いくつかの態様によれば、ＲＬＭ中にＵＥによって使用されるべき１つまたは複数のＲＬＭパラメータを用いてＵＥは構成され得る（たとえば、それのサービングｅＮＢによって）。たとえば、構成された現在の繰返しレベル（すなわち、ＣＥレベル）を考慮に入れて、ＲＬＭプロシージャはＣＥレベル依存であり得る。いくつかの態様によれば、無線リンク障害（ＲＬＦ）を宣言したとき、ＵＥは、（たとえば、１つまたは複数のＲＬＭパラメータに基づいて）ＲＬＦ指示をそれのサービングセルに送信し得、ＣＥの所望のレベルの指示としてＲＡＣＨ中で示された所望のカバレージレベル（たとえば、より高いカバレージレベル）を使用して、（たとえば、ランダムアクセスチャネル（ＲＡＣＨ）プロシージャを介して）それのサービングセルに再接続することを試み得る。さらに、ＲＬＦを宣言したとき、ＵＥは、最良のカバレージを与えるセルに接続することを試み得る。
【００７７】
[0083]いくつかの態様によれば、現在のカバレージレベルに基づいてＲＬＦを宣言することとは対照的に、タイプ２ａ  ＵＥは、セルによって与えられた最も大きい／最大カバレージが不十分であるとき、ＲＬＦをトリガ／宣言し得る。いくつかの場合には、タイプ２ａ  ＵＥは、セル内で新しいカバレージレベルに移動する必要を検出し、しかしある時間期間後に再構成を受信しないとき、ＲＬＦを宣言し得る。たとえば、この場合、ＵＥは、それがカバレージレベルを変更する必要があることをセルのｅＮＢに示し得る。ＵＥは、次いで、タイマー（たとえば、再構成時間）を設定し得、ＵＥがセルから再構成メッセージを受信することができない場合、ＵＥは、ＲＬＦを宣言し得る。いくつかの態様によれば、アイドルモードとは異なり、接続モードモビリティのために、ＵＥは、それの現在のセルが十分なカバレージを与えているとき、「より良い」セル（すなわち、より良いカバレージを与えるセル）に自律的に移動しないことがある。
【００７８】
[0084]いくつかの態様によれば、ＵＥは、それが様々な方法でそれのカバレージレベルを変更する必要があることを示し得る。たとえば、ＵＥは、カバレージレベルを変更する必要を示すために特に使用される無線リソース制御（ＲＲＣ）メッセージを使用し得る。さらに、ｅＮＢによって構成されたＲＲＭ測定報告が、カバレージレベルを変更する必要を示すために使用され得る。たとえば、ｅＮＢは、各々が異なるカバレージレベルに対応する、ＵＥのための複数のＡ２イベントを構成し得る。たとえば、ｅＮＢは、（たとえば、カバレージレベル１〜４に対応する）４つのしきい値を用いてＵＥを構成し得、ＵＥがしきい値を越えると、ｅＮＢは、ＵＥが新しいカバレージレベルに移動する必要があることを知る。
【００７９】
[0085]いくつかの態様によれば、ＲＬＦ回復のための別の機構は、Ｔ３１０タイマーの早期満了を引き起こすためのタイマーの使用を伴い得る。たとえば、いくつかの場合には、ＵＥは、それのサービングセルからより良い／所望のカバレージレベル（たとえば、ＣＥの現在のレベルに対して）を要求し得るか、またはより良いカバレージを与えるセルを発見し得、それを、ＵＥはそれのサービングセルにその後報告する。しかしながら、いくつかの場合には、サービングセルは要求／報告を受信しないことがある。この場合、ＵＥは、より良いカバレージを与える新しいセルがあることをすでに知っているが、Ｔ３１０タイマーの満了まで不必要に待たなければならなくなっており、そのとき、ＵＥは、はるかに前に（すなわち、Ｔ３１０タイマーの満了の前に）新しいセルに移動すべきであった。この場合、それの現在のセルからのより良いカバレージレベルの要求、またはより良いカバレージを与える新しいセルがあることの報告に基づいて、ＵＥは、タイマーを開始し得、（ＵＥをより良い／所望のＣＥレベルに再構成する）再構成メッセージまたは（より良いカバレージを与えるセルにＵＥをハンドオーバする）ハンドオーバコマンドを受信することなしに満了することに基づいて、ＵＥが、ＲＬＦおよびいずれかのＲＡＣＨをより良いカバレージレベルを要求するそれの現在のセルに宣言すること、またはより良いカバレージを与えるセルに自律的に移動することを可能にする。すなわち、いくつかの態様によれば、ＲＬＦを宣言するためのトリガは、（たとえば、再構成またはハンドオーバコマンドを受信しないことによる）それの現在のセルにおけるＵＥのＣＥレベルに基づき得る。
【００８０】
[0086]いくつかの態様によれば、データ送信についてのそれらの低頻度の必要により、タイプ２ｂデバイスは、アイドルモードにある可能性がある。したがって、いくつかの態様によれば、データ送信についてのそれらの低頻度の必要および大きいカバレージレベルについての必要に基づいて、アイドルモードモビリティのみがタイプ２ｂデバイスのためにサポートされ得る。いくつかの態様によれば、それのサービングｅＮＢからＲＲＣ接続セットアップ／再構成メッセージを受信すると、タイプ２ｂ  ＵＥは、ＲＲＣ接続解放タイマーの満了時に（ＲＲＣ接続セットアップ／再構成メッセージによって構成された）接続を解放するためのＲＲＣ接続解放タイマーを開始し得る。いくつかの態様によれば、ＲＲＣ接続解放タイマーは、ｅＮＢから受信されたＲＲＣメッセージによって構成され得る。
【００８１】
[0087]本明細書で開示された方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されていない限り、特定のステップおよび／またはアクションの順序および／または使用は、特許請求の範囲から逸脱することなく変更され得る。
【００８２】
[0088]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【００８３】
[0089]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【００８４】
[0090]たとえば、処理するための手段、生成するための手段、取得するための手段、含むための手段、決定するための手段、出力するための手段、実行するための手段、識別するための手段、構成するための手段、受信するための手段、送信するための手段、および１つまたは複数のアクションをとるための手段は、図２に示されているユーザ端末１２０の受信プロセッサ２５８、送信プロセッサ２６４、および／またはコントローラ／プロセッサ２８０あるいは図２に示されているアクセスポイント１１０の送信プロセッサ２３０、受信プロセッサ２１８、および／またはコントローラ／プロセッサ２４０など、１つまたは複数のプロセッサを含み得る、処理システムを備え得る。いくつかの場合には、送信するための手段および／または受信するための手段は、アンテナ、たとえば、アンテナ２３４および／または２５２のうちの１つまたは複数を備え得る。
【００８５】
[0091]いくつかの態様によれば、そのような手段は、（たとえば、ハードウェアでまたはソフトウェア命令を実行することによって）上記で説明された様々なアルゴリズムを実装することによって、対応する機能を実行するように構成された処理システムによって実装され得る。
【００８６】
[0092]さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８７】
[0093]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８８】
[0094]本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８９】
[0095]１つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００９０】
[0096]特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９１】
[0097]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018523423.tif 000003
【図２】
2018523423.tif 000004
【図３】
2018523423.tif 000005
【図４】
2018523423.tif 000006
【図５Ａ】
2018523423.tif 000007
【図５Ｂ】
2018523423.tif 000008
【図６】
2018523423.tif 000009
【図７】
2018523423.tif 000010
【国際調査報告】
2018523423.tif 000011
2018523423.tif 000012
2018523423.tif 000013